(57)【要約】【課題】仕切専用の部材を設けることなく発光演出手段の内部を複数の発光室に仕切ることができ、また各発光室に十分な数の発光体を配置でき、しかも発光室内で複数の方向に光を照射することが可能遊技機を提供する。【解決手段】少なくとも片側の発光体配置面３２ａに複数の発光体５２が配置されたベース発光基板３２と、このベース発光基板３２の発光体配置面３２ａ側を覆う発光カバー４２と、複数の発光体５２を複数の発光室６１，６２に振り分けるようにベース発光基板３２と発光カバー４２との間の空間を仕切る仕切部材３３〜３５とを有する発光演出手段２８を備えた遊技機で、仕切部材３３〜３５を、少なくとも片側の発光体配置面３３ａ〜３５ａに発光体７１が配置され且つベース発光基板３２の発光体配置面３２ａに立設された仕切発光基板３３〜３５により構成したものである。【選択図】図４
2010240484.tif 000002
【特許請求の範囲】
【請求項１】
少なくとも片側の発光体配置面（３２ａ）に複数の発光体（５２）が配置されたベース発光基板（３２）と、該ベース発光基板（３２）の前記発光体配置面（３２ａ）側を覆う発光カバー（４２）と、前記複数の発光体（５２）を複数の発光室（６１，６２）に振り分けるように前記ベース発光基板（３２）と前記発光カバー（４２）との間の空間を仕切る仕切部材（３３〜３５）とを有する発光演出手段（２８）を備えた遊技機において、前記仕切部材（３３〜３５）を、少なくとも片側の発光体配置面（３３ａ〜３５ａ）に発光体（７１）が配置され且つ前記ベース発光基板（３２）の前記発光体配置面（３２ａ）に立設された仕切発光基板（３３〜３５）により構成したことを特徴とする遊技機。
【請求項２】
前記仕切発光基板（３３〜３５）の一面側に沿って固定された仕切側コネクタ（７２ａ〜７４ａ）を、前記ベース発光基板（３２）の前記発光体配置面（３２ａ）に固定されたベース側コネクタ（７２ｂ〜７４ｂ）に直接結合することにより両者が電気的に接続されていることを特徴とする請求項１に記載の遊技機。
【請求項３】
前記ベース発光基板（３２）と一又は複数の前記仕切発光基板（３３〜３５）との何れかに、外部の給電手段側に連結されるハーネス（７６）が接続されていることを特徴とする請求項１又は２に記載の遊技機。
【請求項４】
前記発光演出手段（２８）は、前記ベース発光基板（３２）に平行な方向に移動可能に構成されており、前記ハーネス（７６）はフラットケーブルで構成され且つ前記仕切発光基板（３３〜３５）の何れかに対して前記ベース発光基板（３２）に平行となるように接続されていることを特徴とする請求項３に記載の遊技機。
【請求項５】
複数の前記仕切発光基板（３３〜３５）を直列状に配置し、各仕切発光基板（３３〜３５）の間に、互いに隣接する仕切発光基板（３３〜３５）の端部を同時に保持する保持部材（６５，６６）を配置したことを特徴とする請求項１〜４の何れかに記載の遊技機。
【発明の詳細な説明】
【技術分野】
【０００１】
本発明は、表面側に複数の発光体が配置されたベース発光基板と、該ベース発光基板の前記表面側を覆う発光カバーと、前記複数の発光体を複数の発光室に振り分けるように前記発光基板と前記発光カバーとの間の空間を仕切る仕切部材とを有する発光演出手段を備えた遊技機に関するものである。
【背景技術】
【０００２】
パチンコ機に代表される遊技機では、遊技盤に装着された各種遊技部品や遊技機本体の前面側等に発光演出手段が多数配置されている。この発光演出手段は、表面側に発光体が配置されたベース発光基板と、このベース発光基板の表面側を覆う発光カバーとを備え、遊技球の入賞等の一定の条件が満たされたときにそれら発光体を所定のパターンで発光させて発光カバーを光らせることにより、音声や画像表示による演出と共に遊技を盛り上げるようになっている。
【０００３】
ところで、例えば一つの発光演出手段において、発光カバー上の複数箇所を個別に光らせたい場合があるが、このような場合には、例えば特許文献１に記載された遊技機のように、発光演出手段内に一つの発光基板を配置すると共に、その発光基板と発光カバーとの間の空間を仕切部材により複数の発光室に仕切り、各発光室に振り分けられた発光体を夫々独立して発光させるようにすることが考えられる。
【先行技術文献】
【特許文献】
【０００４】
【特許文献１】特開２００６−３３４１０５号公報
【発明の概要】
【発明が解決しようとする課題】
【０００５】
特許文献１に記載された遊技機のように、一つの発光基板の前面側を仕切部材により複数の発光室に仕切ることにより発光カバー上の複数箇所を個別に光らせる場合、発光基板上の配置スペースの関係で、各発光室に十分な数の発光体を割り当てることができず、光量が不足したり発光状態が不均一になる等の問題があった。
【０００６】
また、全ての発光体が同一方向に向けて配置されるため、光の照射方向が単一となり、例えば発光カバーの外周側等を十分に発光させることができないという問題もあった。更に、発光演出手段の内部を仕切るためだけに用いる仕切部材を別途、或いは発光カバー等に一体に設けなければならないという問題もあった。
【０００７】
本発明は、上記事情に鑑みてなされたものであり、その目的とするところは、仕切専用の部材を設けることなく発光演出手段の内部を複数の発光室に仕切ることができ、また各発光室に十分な数の発光体を配置でき、しかも発光室内で複数の方向に光を照射することが可能な遊技機を提供することにある。
【課題を解決するための手段】
【０００８】
本発明は、少なくとも片側の発光体配置面３２ａに複数の発光体５２が配置されたベース発光基板３２と、該ベース発光基板３２の前記発光体配置面３２ａ側を覆う発光カバー４２と、前記複数の発光体５２を複数の発光室６１，６２に振り分けるように前記ベース発光基板３２と前記発光カバー４２との間の空間を仕切る仕切部材３３〜３５とを有する発光演出手段２８を備えた遊技機において、前記仕切部材３３〜３５を、少なくとも片側の発光体配置面３３ａ〜３５ａに発光体７１が配置され且つ前記ベース発光基板３２の前記発光体配置面３２ａに立設された仕切発光基板３３〜３５により構成したものである。
【発明の効果】
【０００９】
本発明によれば、仕切専用の部材を設けることなく発光演出手段２８の内部を複数の発光室に仕切ることができ、またベース発光基板３２側だけでなく仕切発光基板３３〜３５側に発光体７１が設けられているため、仕切発光基板３３〜３５側の発光体７１が配置される発光室側に十分な光量を確保できる。しかも、仕切発光基板３３〜３５側の発光体７１の照射方向は、ベース発光基板３２側の発光体５２の照射方向と略直交するため、一つの発光室内で異なる二方向に光を照射することができる。
【図面の簡単な説明】
【００１０】
【図１】本発明の一実施形態を示すパチンコ機の全体斜視図である。
【図２】遊技盤の正面図である。
【図３】センターケースの後構造体の正面図である。
【図４】発光カバーを除く発光演出手段の正面図である。
【図５】発光カバーを除く発光演出手段の側面図である。
【図６】発光カバーを除く発光演出手段の平面断面図である。
【図７】発光演出手段の分解斜視図である。
【図８】発光カバーを除く発光演出手段の分解斜視図である。
【図９】発光カバーを除く発光演出手段の分解斜視図である。
【発明を実施するための形態】
【００１１】
以下、本発明の実施形態を図面に基づいて詳述する。図１〜図９は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１２】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１３】
遊技盤５の前側には、図２に示すように、発射手段により発射された遊技球を案内するガイドレール１２が略環状に装着されると共に、そのガイドレール１２内の遊技領域５ａには、その略中央にセンターケース１３が配置され、更にそのセンターケース１３の左側に通過ゲート１４が、下側に開閉式入賞手段１５及び大入賞手段１６が配置される他、普通入賞手段１７等の各種遊技部品が装着されている。
【００１４】
センターケース１３は、図２，図３に示すように、遊技盤５に対して前側から着脱自在に装着される表示枠体２１と、後側に液晶表示ユニット等の画像表示手段２２が装着され且つ表示枠体２１に対応して遊技盤５の裏側に着脱自在に装着される後構造体２３とを備えている。
【００１５】
表示枠体２１は、図２に示すように、画像表示手段２２の表示画面２２ａ等に対応する開口状の装飾窓２４を備え、その下部側には、左右の入球口２５に入球した遊技球を左右方向に自由に転動させて前側に落下させるステージ２６が設けられている。
【００１６】
後構造体２３は、図３に示すように、例えば前側が開放した略箱形に形成され、表示枠体２１の後側に対応して遊技盤５の裏面側に着脱自在に固定されており、後側に装着される画像表示手段２２の表示画面２２ａに対応する表示窓２７と、その表示窓２７の前側に配置され且つ表示画面２２ａの前側の被覆位置（図３に一点鎖線で示す）と表示画面２２ａの外側の待避位置（図３に実線で示す）との間で左右方向に移動可能な左右一対の発光演出手段２８と、この発光演出手段２８を図示しない連動機構を介して駆動する駆動モータ２９等を備えている。
【００１７】
左右の発光演出手段２８は、例えば大砲の砲口を備えた船首部分をモチーフにした立体形状を左右に二分した鏡対称の形態を有し、表示画面２２ａの前側の被覆位置では互いの対向面を略当接させてその船首形状の略全体を装飾窓２４内に現し、左右に分かれて夫々待避位置に移動した状態ではそれらの略全体が遊技盤５の後側に隠れるようになっており、図７等に示すように、ケース体３１と、このケース体３１内に配置された複数、例えば四枚の発光基板３２〜３５等を備えている。
【００１８】
ケース体３１は、例えば合成樹脂製で、図７〜図９に示すように、表示画面２２ａに平行なベース板４１と、このベース板４１を前側から覆う発光カバー４２とで構成されている。ベース板４１は、例えば正面視略矩形状で、対向側縁部４１ａには、砲口部分に対応する切り欠き部４３が外側縁部４１ｂ側に向けて凹入状に形成されている。また、ベース板４１には、発光カバー４２を固定するためのねじ挿通部４４が、例えばその外縁部近傍に複数設けられている。
【００１９】
発光カバー４２は、図３及び図７に示すように、例えば二つの第１，第２発光カバー４２ａ，４２ｂにより構成され、ベース板４１の裏側からねじ挿通部４４を介して固定ねじ４４ａをねじ込むことによりベース板４１に着脱自在に固定されている。第１発光カバー４２ａは、他方の発光演出手段２８に対向する側の壁面を構成するもので、図７に示すように、ベース板４１側の切り欠き部４３に沿って前向き突出状に設けられた内レンズ部４５と、この内レンズ部４５の上下両端側からベース板４１側の対向側縁部４１ａに沿って上下に延設された対向壁部４６とを一体に備えている。
【００２０】
この第１発光カバー４２ａのうち、少なくとも内レンズ部４５は透光性を有しており、その内レンズ部４５の外面側には前後方向の突条部４７が周方向に所定間隔で配置され、内面側には例えば凹凸による乱反射処理（図示省略）が施されている。なお、内レンズ部４５は、後端側よりも前端側の方が大きい前広がり状に形成されている。
【００２１】
第２発光カバー４２ｂは、左右方向外側から前側及び上下両側の壁面を構成するもので、図７に示すように、ベース板４１側の外側縁部４１ｂと第１発光カバー４２ａの前縁側とを連結する略円筒面状の外レンズ部４９と、ベース板４１，第１発光カバー４２ａ及び外レンズ部４９の各上縁部を連結する略水平な上壁部５０と、第１発光カバー４２ａ及び外レンズ部４９の各下縁部を連結する略水平な底壁部５１とを一体に備えている。この第２発光カバー４２ｂのうち、少なくとも外レンズ部４９は透光性を有しており、例えば内レンズ部４５とは異なる色で不透明に着色されている。
【００２２】
四枚の発光基板３２〜３５のうち、３２はベース発光基板、３３〜３５は仕切発光基板となっている。ベース発光基板３２は、図４〜図９に示すように、その表面（発光体配置面）３２ａに多数のＬＥＤ（発光体）５２が配置されており、表面３２ａを前側に向けた状態で固定ねじ５３によりベース板４１の前面側に着脱自在に固定されている。ベース発光基板３２には、その外縁部近傍に複数の位置決め孔５４が形成されており、ベース板４１側の位置決め突起５５をこの位置決め孔５４に嵌合させることにより所定位置に位置決めされるようになっている。なお、ベース発光基板３２は、ベース板４１の前面側の略全体を覆う形状及び大きさに形成されている。
【００２３】
第１〜第３仕切発光基板３３〜３５は、ベース発光基板３２と発光カバー４２との間の空間を内レンズ部４５側の内発光室６１と外レンズ部４９側の外発光室６２とに仕切る仕切部材を構成するもので、夫々ベース発光基板３２の表面３２ａ側に略直角に立設されると共にベース板４１側の切り欠き部４３の外側を略一定距離で取り囲むように直列状に配列され、第１，第２保持レール６３，６４及び第１，第２保持部材６５，６６によりベース板４１に固定されている。これにより、ベース発光基板３２側の全てのＬＥＤ５２は、内発光室６１側と外発光室６２側とに振り分けられている。
【００２４】
第１仕切発光基板３３は、内レンズ部４５の上面４５ａに沿ってその上側に略水平に配置され、その一端側を第１保持レール６３により、他端側を第１保持部材６５により夫々保持されている。また、第２仕切発光基板３４及び第３仕切発光基板３５は、内レンズ部４５の側面４５ｂに沿ってその側方に略「く」の字状に配置され、第２仕切発光基板３４はその両端側を第１保持部材６５と第２保持部材６６とにより保持され、第３仕切発光基板３５はその一端側を第２保持部材６６により、他端側を第２保持レール６４により夫々保持されている。
【００２５】
なお、第１〜第３仕切発光基板３３〜３５は、例えば図４〜図６に示すように、発光カバー４２側の縁部が内レンズ部４５と外レンズ部４９との境界に沿うように配置されているが、内発光室６１と外発光室６２との間でなるべく光が漏れないように、発光カバー４２側の縁部を発光カバー４２の内面に沿った形状とすることが望ましい。また、発光カバー４２の内面側に、第１〜第３仕切発光基板３３〜３５の縁部を保持する保持部を突設して発光カバー４２と第１〜第３仕切発光基板３３〜３５との隙間を埋めるように構成してもよい。
【００２６】
また、第１〜第３仕切発光基板３３〜３５には、内発光室６１側を向いている表面（発光体配置面）３３ａ〜３５ａにＬＥＤ（発光体）７１が夫々多数配置され、外発光室６２側の裏面３３ｂ〜３５ｂには、ベース発光基板３２側の縁部近傍に、その裏面３３ｂ〜３５ｂに沿ってベース発光基板３２側に向けて仕切側コネクタ７２ａ〜７４ａが固定されている。そして、ベース発光基板３２の表面３２ａ側には、第１〜第３仕切発光基板３３〜３５側の仕切側コネクタ７２ａ〜７４ａに対応してベース側コネクタ７２ｂ〜７４ｂが前向き、即ち表面３２ａに対して略直角方向に固定されており、第１〜第３仕切発光基板３３〜３５は、その仕切側コネクタ７２ａ〜７４ａをベース発光基板３２側のベース側コネクタ７２ｂ〜７４ｂに直接結合することによりベース発光基板３２に対して電気的に接続されている。
【００２７】
更に、第２仕切発光基板３４の上端側には、引出用コネクタ７５が第２仕切発光基板３４の裏面３４ｂに沿ってベース発光基板３２に略平行となるように上向きに固定されており、この引出用コネクタ７５に、外部の給電手段側に連結されるハーネス７６のコネクタ７７が上側から結合されている。なお、ハーネス７６は例えばフラットケーブルにより構成されている。
【００２８】
第１，第２保持レール６３，６４は、第１仕切発光基板３３及び第３仕切発光基板３５の端縁をベース発光基板３２に略垂直な方向に摺動自在に保持するもので、断面略コの字型に形成され、ベース板４１の前面側から垂直に突設されている。
【００２９】
第１保持部材６５は、第１，第２仕切発光基板３３，３４の互いに近接する各端縁を同時にベース板４１側に固定すると共に、第２仕切発光基板３４から引き出されるハーネス７６を保持して所定方向に案内するハーネス案内部材７８をベース板４１側に固定するもので、第１，第２仕切発光基板３３，３４の各端縁を保持する例えば溝状の基板保持部８１，８２と、ベース板４１側のハーネス案内部材保持レール８３ａ，８３ｂに着脱自在に装着されたハーネス案内部材７８を離脱不能に押さえる案内部材押さえ部８４ａ，８４ｂと、基板保持部８１，８２及び案内部材押さえ部８４ａ，８４ｂをベース板４１側の固定基部８５に固定するための固定部８６とを一体に備えている。
【００３０】
ハーネス案内部材７８は、図８，図９に示すように、第２仕切発光基板３４側から略上向きに引き出されたハーネス７６を左右方向外向きに案内する略平板状の案内板８７と、この案内板８７の片面側に沿って案内されたハーネス７６を案内板８７側に挟み込んで固定するハーネス固定部材８８とを備え、案内板８７が略水平となるように、ベース板４１から前向きに突設された一対のハーネス案内部材保持レール８３ａ，８３ｂに前側から着脱自在に装着されている。
【００３１】
案内板８７には、その左右方向内側の端部近傍にハーネス７６の両側を規制する一対の案内突起８９が、左右方向外側の端部近傍にハーネス７６を板厚方向に挿通させるための切り欠き状のハーネス挿通部９０が、夫々設けられており、第２仕切発光基板３４側の引出用コネクタ７５から略上向きに引き出されたハーネス７６は、図９に示すように一対の案内突起８９の間を通過するように案内板８７の下面側に沿って左右方向内側から外側に向けて案内され、ハーネス挿通部９０から案内板８７の上側に挿通されるようになっている。なお、第２発光カバー４２ｂには、図７に示すように例えば上壁部５０側にハーネス挿通部９０に対応する切り欠き部５０ａが形成されており、ハーネス挿通部９０から案内板８７の上側に挿通されたハーネス７６はこの切り欠き部５０ａから上側に引き出されるようになっている。
【００３２】
なお、案内板８７の左右方向外側縁部には、例えば下向きに突設された屈折部８７ａが一体に設けられており、ハーネス案内部材保持レール８３ａは案内板８７の左右方向内側端部を、ハーネス案内部材保持レール８３ｂは屈折部８７ａの下端部を夫々前後方向摺動自在に保持するようになっている。
【００３３】
ハーネス固定部材８８は、案内突起８９とハーネス挿通部９０との間でハーネス７６をハーネス固定部材８８の下面側に押さえつけるように案内板８７の下面側に固定ねじ８８ａ等により着脱自在に固定されている。
【００３４】
第１保持部材６５の基板保持部８１，８２は、第１仕切発光基板３３の左右方向外側縁部と、第２仕切発光基板３４の上端側縁部とに沿って設けられ且つ前端側が閉じた溝状に形成されている。案内部材押さえ部８４ａ，８４ｂは、ハーネス案内部材保持レール８３ａにより保持された案内板８７の左右方向内側端部と、ハーネス案内部材保持レール８３ｂにより保持された屈折部８７ａの下端部とに夫々前側から係合するように設けられている。
【００３５】
固定部８６は、基板保持部８１，８２及び案内部材押さえ部８４ａ，８４ｂを連結するようにベース板４１に平行な板状に形成されており、その裏側にはベース板４１側の固定基部８５に対応してこの固定基部８５側に向けて突設された筒状のねじ挿通孔９１が一体に設けられており、このねじ挿通孔９１を介して固定基部８５に固定ねじ９２をねじ込むことによりベース板４１側に着脱自在に固定されている。なお、固定基部８５は、ハーネス案内部材７８の下側に沿って例えば左右方向に二つ配置されており、ベース板４１から前向きに突設されている。
【００３６】
第２保持部材６６は、第２，第３仕切発光基板３４，３５の互いに近接する各端縁を同時にベース板４１側に固定するもので、第２，第３仕切発光基板３４，３５の各端縁を保持する例えば溝状の基板保持部９３，９４と、それら基板保持部９３，９４をベース板４１側の固定基部９５に固定するための固定部９６とを一体に備えている。基板保持部９３，９４は、第２仕切発光基板３４の下端側縁部と、第３仕切発光基板３５の上端側縁部とに沿って設けられ且つ前端側が閉じた溝状に形成されている。
【００３７】
固定部９６は、基板保持部９３，９４に一体に形成され、固定基部９５に対応してねじ挿通孔９７が設けられており、このねじ挿通孔９７を介して固定基部９５に固定ねじ９８をねじ込むことによりベース板４１側に着脱自在に固定されている。なお、固定基部９５は、ベース板４１の前面側に垂直に突設され、ベース発光基板３２に設けられた挿通孔９９を介してベース発光基板３２の前側に突出している。
【００３８】
以上説明したように、本実施形態のパチンコ機に搭載された発光演出手段２８は、例えば一面側に発光体７１を備えた仕切発光基板３３〜３５を、ベース発光基板３２の表面３２ａ側に略垂直に立設させることにより、この仕切発光基板３３〜３５を、ベース発光基板３２と発光カバー４２との間の空間を内発光室６１と外発光室６２とに仕切る仕切部材として利用しているため、仕切専用の部材を設ける必要がない。また、ベース発光基板３２側だけでなく仕切発光基板３３〜３５側にＬＥＤ７１が設けられているため、仕切発光基板３３〜３５側のＬＥＤ７１が配置される内発光室６１側に十分な光量を確保できる。しかも、仕切発光基板３３〜３５側のＬＥＤ７１の照射方向は、ベース発光基板３２側のＬＥＤ５２の照射方向と略直交しているため、内発光室６１内で異なる二方向に光を照射することができる。特に第１発光カバー４２ａの内レンズ部４５は、前広がり状の筒状面を構成しているため、ベース発光基板３２と仕切発光基板３３〜３５とによる異なる二方向の光照射でより効果的に発光させることができる。
【００３９】
また、仕切発光基板３３〜３５の一面側に沿って固定された仕切側コネクタ７２ａ〜７４ａを、ベース発光基板３２の表面３２ａ側に略垂直に固定されたベース側コネクタ７２ｂ〜７４ｂに直接結合することにより両者が電気的に接続されているため、組み立て作業が容易で配線も簡略化できる。なお、仕切側コネクタ７２ａ〜７４ａとベース側コネクタ７２ｂ〜７４ｂとは、仕切発光基板３３〜３５とベース発光基板３２とを互いに固定する固定手段としても機能している。
【００４０】
更に、第２仕切発光基板３４に、外部の給電手段側に連結されるハーネス７６が接続されているため、この第２仕切発光基板３４を介して全ての発光基板３２〜３５と外部の給電手段とを電気的に接続できる。しかも、発光演出手段２８は、ベース発光基板３２に平行な左右方向に移動可能に構成されており、フラットケーブルよりなるハーネス７６は第２仕切発光基板３４に対してベース発光基板３２に平行となるように接続されているため、図４に示すように、ハーネス７６の余裕長さ分を発光演出手段２８の上側に捻れなく配置して発光演出手段２８の左右方向の移動にスムーズに追従させることができる。
【００４１】
以上、本発明の実施形態について詳述したが、本発明はこれらの実施形態に限定されるものではなく、本発明の趣旨を逸脱しない範囲で種々の変更が可能である。例えば、仕切発光基板には、その両面に発光体を配置してもよいし、二枚の仕切発光基板を背中合わせに配置してもよい。なお、仕切発光基板として、屈曲自在なフレキシブル基板を使用してもよい。
【００４２】
ベース発光基板３２の両面側を発光体配置面３２ａとしてもよい。この場合、各発光体配置面３２ａに夫々仕切発光基板を配置してもよいし、片側の発光体配置面３２ａにのみ仕切発光基板を配置してもよい。
【００４３】
ベース発光基板３２に対して仕切発光基板を複数列配置して三つ以上の発光室に仕切ってもよい。また、複数の仕切発光基板のベース発光基板３２上での配置は任意であり、直列状の他、例えば互いに交差方向に配置してもよい。
【００４４】
また、第１仕切発光基板の発光体配置面に、更に別の第２仕切発光基板を略垂直に立設してもよい。この場合、第２仕切発光基板は、ベース発光基板にも略垂直となる向きに配置してもよいし、第１仕切発光基板にのみ略垂直でベース発光基板に対しては略平行となる向きに配置してもよい。
【００４５】
ベース発光基板に対する仕切発光基板の立設角度、或いは仕切発光基板に別の仕切発光基板を立設する際の立設角度は任意であり、垂直に限るものではない。
【００４６】
ベース側コネクタに対する仕切側コネクタの抜け止めロック機構を備えた場合には、このベース側コネクタと仕切側コネクタとの結合のみで仕切発光基板をベース発光基板に固定するようにしてもよいし、例えばその抜け止めロック機構と、仕切発光基板をベース発光基板３２の板面方向に保持する保持レールとを併用して仕切発光基板をベース発光基板に固定するようにしてもよい。
【００４７】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００４８】
２８    発光演出手段
３２    ベース発光基板
３２ａ  発光体配置面
３３    第１仕切発光基板（仕切発光基板，仕切部材）
３３ａ  発光体配置面
３４    第２仕切発光基板（仕切発光基板，仕切部材）
３４ａ  発光体配置面
３５    第３仕切発光基板（仕切発光基板，仕切部材）
３５ａ  発光体配置面
４２    発光カバー
５２    発光体
６１    内発光室（発光室）
６２    外発光室（発光室）
６５    第１保持部材（保持部材）
６６    第２保持部材（保持部材）
７１    発光体
７２ａ  仕切側コネクタ
７２ｂ  ベース側コネクタ
７３ａ  仕切側コネクタ
７３ｂ  ベース側コネクタ
７４ａ  仕切側コネクタ
７４ｂ  ベース側コネクタ
７６    ハーネス
【図１】
2010240484.tif 000003
【図２】
2010240484.tif 000004
【図３】
2010240484.tif 000005
【図４】
2010240484.tif 000006
【図５】
2010240484.tif 000007
【図６】
2010240484.tif 000008
【図７】
2010240484.tif 000009
【図８】
2010240484.tif 000010
【図９】
2010240484.tif 000011
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
少なくとも片側の発光体配置面（３２ａ）に複数の発光体（５２）が配置されたベース発光基板（３２）と、該ベース発光基板（３２）の前記発光体配置面（３２ａ）側を覆う発光カバー（４２）と、前記複数の発光体（５２）を複数の発光室（６１，６２）に振り分けるように前記ベース発光基板（３２）と前記発光カバー（４２）との間の空間を仕切る仕切部材（３３〜３５）とを有する発光演出手段（２８）を備えた遊技機において、前記仕切部材（３３〜３５）を、少なくとも片側の発光体配置面（３３ａ〜３５ａ）に発光体（７１）が配置された仕切発光基板（３３〜３５）により構成し、前記仕切発光基板（３３〜３５）の前記発光カバー（４２）側の縁部を前記発光カバー（４２）の内面に沿った形状としたことを特徴とする遊技機。
【手続補正２】
【補正対象書類名】明細書
【補正対象項目名】０００８
【補正方法】変更
【補正の内容】
【０００８】
本発明は、少なくとも片側の発光体配置面３２ａに複数の発光体５２が配置されたベース発光基板３２と、該ベース発光基板３２の前記発光体配置面３２ａ側を覆う発光カバー４２と、前記複数の発光体５２を複数の発光室６１，６２に振り分けるように前記ベース発光基板３２と前記発光カバー４２との間の空間を仕切る仕切部材３３〜３５とを有する発光演出手段２８を備えた遊技機において、前記仕切部材３３〜３５を、少なくとも片側の発光体配置面３３ａ〜３５ａに発光体７１が配置された仕切発光基板３３〜３５により構成し、前記仕切発光基板３３〜３５の前記発光カバー４２側の縁部を前記発光カバー４２の内面に沿った形状としたものである。